(57)【要約】  【課題】複数の商品の複数箇所に異なる種類のラベルを貼り付けるとき該ラベルの貼り付け順に数字を繰り返し印刷してラベル貼付け作業の効率を向上させる。  【解決手段】ラベルプリンタＰは、キー入力部であるキーボード部１と、印刷制御部３と、プリンタ部であるサーマルヘッド１３とを備える。キーボード部１は、異なる複数種類の数字を設定する数字設定キー１Ａと、設定された複数種類の数字の繰返し印刷回数を設定するための繰返し印刷回数設定キー１Ｂとを有する。又、印刷制御部３は、キーボード部１で設定した印刷データをサーマルヘッド１３に送って、複数種類の数字を一括して設定回数だけ繰り返し印刷する。【選択図】図１
2008036887.tif 000002
【特許請求の範囲】
【請求項１】
キー入力部と印刷制御部とプリンタ部とを備えて成るラベルプリンタにおいて、
前記キー入力部は互いに異なる複数の数字を設定するための数字設定キーと、該数字設定キーで設定された複数の数字を一括して繰り返し印刷する回数を設定するための繰返し印刷回数設定キーとを有し、
該繰返し印刷回数設定キー及び数字設定キーで設定されたデータは、前記印刷制御部により前記プリンタ部に送られて、前記複数の数字が一括して設定回数だけ繰り返し印刷されるように構成したことを特徴とするラベルプリンタ。
【発明の詳細な説明】
【技術分野】
【０００１】
本発明はラベルプリンタに関するものであり、特に、複数の異なる数字を繰り返し印刷するラベルプリンタに関するものである。
【背景技術】
【０００２】
従来、此種ラベルプリンタは、１つの数字を設定回数だけ繰り返し印刷した後、前記数字と異なる１つの数字を設定回数だけ繰り返し印刷する機能を有している。このラベルプリンタの特徴は、任意の数字を連続して複数設定できること、並びに、各数字を１つずつ順次設定回数だけ繰り返し印刷できることにある（例えば、特許文献１参照）。
【特許文献１】特開平９−７６５７５号公報。
【発明の開示】
【発明が解決しようとする課題】
【０００３】
上記従来のラベルプリンタにおいて、例えば、１個の商品（梱包箱を含む）の複数Ｎ箇所に夫々、異なる数字が印刷されたラベル１Ｒ，ラベル２Ｒ,…ラベルＮＲを（合計Ｎ枚）貼り付ける場合は、各ラベル１Ｒ，ラベル２Ｒ,…ラベルＮＲを順次１回ずつ印刷して、該ラベル１Ｒ，ラベル２Ｒ,…ラベルＮＲを１枚ずつ順番に貼り付ければ良い。しかし、商品の個数が１個ではなく複数Ｍ個であって、前記ラベル１Ｒ，ラベル２Ｒ,…ラベルＮＲを（合計ＭＮ枚）貼り付ける場合、前記同様の順番で各ラベル１Ｒ，ラベル２Ｒ,…ラベルＮＲを順次Ｍ回ずつ印刷した後にラベル貼り作業を行うことは、ラベル１Ｒ，ラベル２Ｒ,…ラベルＮＲの使い勝手を低下させることがある。
【０００４】
例えば、数字１，数字２が夫々印刷されたラベル１Ｒ，ラベル２Ｒを３個の商品の２箇所に貼り付ける場合、従来のラベルプリンタでは、図３に示すように、数字「１」を３回繰り返し印刷した後に数字「２」を３回繰り返し印刷することにより、ラベル１Ｒ，ラベル２Ｒをそれぞれ３枚ずつ作製していた。しかし、３個の商品に順次ラベル１Ｒ，ラベル２Ｒを貼り付けるときは、数字「１」と数字「２」を交互に３回繰り返し印刷する方が好ましい。その理由は、各商品の２箇所にラベル１Ｒとラベル２Ｒを順番に貼り付けて、ラベル貼り作業を商品１個ずつ円滑に行えるからである。
【０００５】
要するに、従来のラベル印刷方式では、印刷された合計６枚のラベル１Ｒ，ラベル２Ｒの順番（数字１，１，１，２，２，２）と、該６枚のラベル１Ｒ，ラベル２Ｒを貼り付ける順番（数字１，２，１，２，１，２）とが互いに異なるので、ラベル貼り作業の効率が低下するという問題があった。
【０００６】
そこで、各商品の複数箇所に貼り付けられる複数種類のラベルを貼付け順に印刷してラベル貼り作業の効率を向上させるために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、キー入力部と印刷制御部とプリンタ部とを備えて成るラベルプリンタにおいて、前記キー入力部は互いに異なる複数の数字を設定するための数字設定キーと、該数字設定キーで設定された複数の数字を一括して繰り返し印刷する回数を設定するための繰返し印刷回数設定キーとを有し、該繰返し印刷回数設定キー及び数字設定キーで設定されたデータは、前記印刷制御部により前記プリンタ部に送られて、前記複数の数字が一括して設定回数だけ繰り返し印刷されるように構成して成るラベルプリンタを提供する。
【０００８】
この構成によれば、複数Ｍ個の商品（梱包箱を含む）の複数Ｎ箇所に、例えば、異なる数字１，２,…Ｎが夫々印刷されたラベル１Ｒ，ラベル２Ｒ,…ラベルＮＲをそれぞれＮ枚（全てのラベルの合計はＭＮ枚）貼り付ける場合は、数字設定キーにより複数の数字「１，２,…Ｎ」を設定した後、繰返し印刷回数設定キーにより繰返し印刷回数「Ｍ」を設定する。これにより設定された印刷データ、即ち、数字「１，２,…Ｎ」及び繰返し印刷回数「Ｍ」の印刷データは、印刷制御部によってプリンタ部に送られる。而して、プリンタ部は前記印刷データに基づいて、数字「１，２，…Ｎ」を一括してＭ回だけ繰り返し印刷する。
【０００９】
斯くして、各商品に貼り付けられるラベル１Ｒ，ラベル２Ｒ,…ラベルＮＲが、貼り付け順番に１セットに並んでラベルシートに繰り返し印刷される。例えば、数字１，数字２が夫々印刷されたラベル１Ｒ，ラベル２Ｒを３個の各商品の２箇所それぞれに貼り付ける場合は、ラベル１Ｒとラベル２Ｒを交互に貼り付ける順番と一致するように、数字「１，２」が３回繰り返し印刷される。尚、必要により、複数の数字のみからなる１セットに代えて、複数の数字とアルファベットを１セットに組み合わせて繰り返し印刷することもできる。
【発明の効果】
【００１０】
請求項１記載の発明は、複数の数字は、各商品の複数箇所に貼り付けられるラベルの貼付け順番に１組にまとめて、之を設定回数だけ繰り返し印刷できるので、１組のラベルを各商品に貼り付ける際に、ラベルシートの使い勝手が良くなり、従来に比べてラベル貼り作業の効率を向上させることができる。
【発明を実施するための最良の形態】
【００１１】
本発明は、複数個の商品に貼り付けられる複数種類のラベルを貼付け順に印刷して、ラベル貼り作業の効率を向上させるという目的を、キー入力部と印刷制御部とプリンタ部とを備えて成るラベルプリンタにおいて、前記キー入力部は互いに異なる複数の数字を設定するための数字設定キーと、該数字設定キーで設定された複数の数字を一括して繰り返し印刷する回数を設定するための繰返し印刷回数設定キーとを有し、該繰返し印刷回数設定キー及び数字設定キーで設定されたデータは、前記印刷制御部により前記プリンタ部に送られて、前記複数の数字が一括して設定回数だけ繰り返し印刷されるように構成することにより実現した。
【実施例】
【００１２】
以下、本発明の好適な実施例を図１及び図２に従って説明する。図１は本実施例に係るスタンドアロンタイプのラベルプリンタＰを示すブロック図である。同図において、ラベルプリンタＰはキーボード部１及び印刷制御部３等を備えている。
【００１３】
前記キーボード部１は印刷データの入力等を行うためのキー入力部であって、数字設定キー１Ａ、繰返し印刷回数設定キー１Ｂ、書式設定キー及び印刷実行指令キー（図示せず）等を有する。前記数字設定キー１Ａにより、異なる複数の数字が印刷データとして設定される。又、繰返し印刷回数設定キー１Ｂにより、前記複数の数字を一括して繰返し印刷する回数が設定される。
【００１４】
前記キーボード部１により入力された印刷データは、インタフェース２を介して印刷制御部３のバッファーメモリ４に書き込まれ、印刷制御部３のＣＰＵ５がバッファーメモリ４の内容を読み込む。読み込まれた印刷データは、印刷データメモリ６に書き込まれると共に、表示ドライバ回路７を介してＬＣＤ表示部８に表示される。
【００１５】
而して、キーボード部１により印刷実行指令を入力すると、ＣＰＵ５はＲＯＭ９の印刷制御プログラムに従ってモータドライバ回路１０を制御し、送りモータ１１を駆動してラベル（剥離紙付き粘着テープ）を送りつつ、印刷データメモリ６の文書データに基づいてドットパターンデータをヘッドドライバ回路１２に出力し、サーマルヘッド１３によってラベルに熱転写印刷を行う。又、ＣＰＵ５はラベル印刷の開始時と終了時に、カッタドライバ回路１４を駆動して、カッタ１５によりラベルを所定位置で切断（又は半切断）する。
【００１６】
次に、印刷データの入力操作手順について説明する。先ず、数字設定キー１Ａを操作して、印刷すべき複数の数字を入力する。次に、繰返し印刷回数設定キー１Ｂを操作して、複数の数字の繰返し印刷回数を入力してエンターキーを押す。すると、複数の数字と繰返し印刷回数の値とがＬＣＤ表示部８に表示される。
【００１７】
又、ＬＣＤ表示部８に表示された印刷データは、印刷データメモリ６に書き込まれる。この後、キーボード部１によって印刷実行指令を入力すると、ＣＰＵ５がＲＯＭ９の印刷プログラムに従って、サーマルヘッド（プリンタ部）１３に前記印刷データを送る。これにより、サーマルヘッド１３によって前記複数の数字が設定回数だけラベルシートに繰返し印刷される。
【００１８】
例えば、図２に示すように、印刷データとして数字「１００９９９」「２００９９９」「３００９９９」が夫々印刷された３種類のラベル１Ｒ，２Ｒ，３Ｒをそれぞれ３枚印刷して、３個の各商品（梱包品）Ｋ１，Ｋ２，Ｋ３の正面、側面及び内面の３箇所にそれぞれ貼り付ける場合は、次の手順で繰返し印刷を行う。先ず、数字設定キー１Ａによって３種類の数字「１００９９９」「２００９９９」「３００９９９」をまとめて入力設定すると共に、繰返し印刷回数設定キー１２により繰返し印刷回数「３」を入力設定する。
【００１９】
すると、数字「１００９９９」「２００９９９」「３００９９９」及び繰返し印刷回数「３」がＬＣＤ表示部８に表示される。この後、キーボード部１によって印刷実行指令を入力する。これにより、ＣＰＵ５によってサーマルヘッド１３に印刷データが送られ、３種類の数字「１００９９９」「２００９９９」「３００９９９」を１セットとして、３回（３セット）繰り返し印刷が行われる。
【００２０】
斯くして、３個の商品Ｋ１，Ｋ２，Ｋ３に夫々貼り付けられる３種類のラベル１Ｒ，２Ｒ，３Ｒがこの順序で３セット作製される。従って、本実施例のレベルプリンタＰによれば、３種類のラベル１Ｒ，２Ｒ，３Ｒはこれを１組として３組（合計９枚）印刷されるが、各組のラベル１Ｒ，２Ｒ，３Ｒは各商品Ｋ１，Ｋ２，Ｋ３の３箇所に貼付ける順番と一致してラベルシートに繰り返し印刷されるので、ラベルシートの使い勝手が良くなり、ラベル貼り作業を円滑に効率良く行うことができる。
【００２１】
なお、本発明は、本発明の精神を逸脱しない限り種々の改変をなすことができ、そして、本発明が該改変されたものにも及ぶことは当然である。
【図面の簡単な説明】
【００２２】
【図１】本発明に係る一実施例を示し、ラベルプリンタのブロック図。
【図２】図１のラベルプリンタにより印刷される数字を示す説明図。
【図３】従来のラベルプリンタにより印刷される数字を示す説明図。
【符号の説明】
【００２３】
１    キーボード部（キー入力部）
１Ａ  数字設定キー
１Ｂ  繰返し印刷回数設定キー
３    印刷制御部
４    バッファーメモリ
５    ＣＰＵ
６    印刷データメモリ
１３  サーマルヘッド（プリンタ部）
【図１】
2008036887.tif 000003
【図２】
2008036887.tif 000004
【図３】
2008036887.tif 000005